(57)【要約】【課題】収納ケ−スの多機能な構造によりノ−ト型パソコンと各種メディアおよび付属備品をコンパクトに収納して、必要に応じて収納物の一部を取出し情報処理を行なうことができる携帯と持運びに簡易な多機能な構造を得る。【解決手段】収納ケ−スの本体１の上側面枠組３に摺動自在の上蓋引出し７を設け、上蓋引出し７の右側端に枢着回動枠蓋８を設け、枠蓋を開口して右側方へ引出して備えている。本体１の内部に内部収納区画部１３を設け、収納ホルダ−１４を収納して備え、本体１の内部に上段収納区画部の引出し１１を格納して備えている。本体１の内部の下段収納ホルダ−引出し１２を設け、ノ−ト型パソコン３０を格納して本体枠組２の右側面の側面開口部５の右側方へ下段収納ホルダ−引出し１２を引出して備えている。本体枠組２の前方側面に側面把手２７を設け、その側面把手２７にショルダ−ベルト装着部位２８を備えて本体１と収納物を支持する。【選択図】    図４
2005287609.tif 000002
【特許請求の範囲】
【請求項１】
情報処理電子機器装置のノ−ト型パソコンを収納する側面機能と内部機能の構造を保持する収納ケ−スにあって、該収納ケ−スの本体枠組の上側面に開閉もしくは引出し自在の上蓋を設け、該収納ケ−スの上側面枠組に上蓋を摺動自在とする摺動支持部を設け、上蓋を引出し自在とする、該収納ケ−スの本体枠組の上側面枠組もしくは側面枠組に開口部を設け、該収納ケ−スの本体枠組の下側面に底部底体を設け、該収納ケ−スの本体枠組の側面に収納ケ−ス本体と本体の内部に収納されている収納物を側面把手を設け支持する、前記側面機能を有し、該収納ケ−スの内部に収納区画自在の内部収納区画部もしくは収納自在の上段収納区画部および収納区画自在の下段収納区画部を設け、ノ−ト型パソコンと各種メディアおよび付属備品を収納支持する、該収納ケ−スの本体内部の収納区画部を引出し自在とする摺動支持部を本体の内部に設け、本体の内部の収納区画部を引出し自在とする、前記内部機能の構造を有する、前記側面機能と前記内部機能の構造を保持することを特徴とするノ−ト型パソコン用の多機能収納ケ−ス。
【請求項２】
前記収納ケ−スの摺動自在の上蓋引出しに枠蓋を設け、枠蓋を枢着回動自在と開閉自在とすることを特徴とする請求項１記載のノ−ト型パソコン用の多機能収納ケ−ス。
【請求項３】
前記収納ケ−スの本体の内部に内部収納区画部と上段収納区画のスライド引出しおよび下段収納ホルダ−引出しを設け、引出しとすることを特徴とする請求項１又は請求
項２記載のノ−ト型パソソコン用の多機能収納ケ−ス。
【請求項４】
前記収納ケ−スの本体の内部に内部収納区画部と上段収納ホルダ−引出しおよび下段収納ホルダ−引出しを設け、引出しとすることを特徴とする請求項１又は請求項２記
載のノ−ト型パソコン用の多機能収納ケ−ス。
【請求項５】
前記収納ケ−スの上蓋を開閉自在の開口上蓋とすることを特徴とする請求項１，請求項３又は請求項４記載のノ−ト型パソコン用の多機能収納ケ−ス。
【発明の詳細な説明】
【技術分野】
【０００１】
情報処理電子機器装置のノ−ト型パソコンの情報処理に係わる業務および研究学習の情報処理操作の向上と、携帯および持運び等に役立てることを目的としたノ−ト型パソコン用の多機能収納ケ−ス。
【背景技術】
【０００２】
従来、情報処理電子機器装置のノ−ト型パソコンを収納する、格納操作型収納ケ−スや袋物バックにあっては、情報処理電子機器装置の開発に伴い周辺機器と付属備品等が増加したため収納物の収納不足と取出しに不具合がみられた、ノ−ト型パソコンと各種メディアおよび付属備品等をコンパクトに収納し簡易に取出すことが困難であった。
【発明の開示】
【発明が解決しようとする課題】
【０００３】
前記収納ケ−スの多機能な構造によりノ−ト型パソコンの情報処理に必要な各種メディアと付属備品を収納して、簡易に取出し情報処理ができる多機能収納ケ−スである。収納ケ−スの収納区画部の収納区画の仕訳収納と上蓋の引出しと収納区画部の引出しの構造により収納と取出しを容易とする、収納ケ−スの収納の安全性と収納ケ−スの耐久性を備え、携帯と持運びに簡易な構造を保持する多機能収納ケ−スである。上記の、収納ケ−スの多機能な構造により、従来の格納操作収納ケ−スと袋物バックの不具合を解消する、ノ−ト型パソコン用の多機能収納ケ−スを提供することを目的とする。
【０００４】
前記収納ケ−スの多機能収納ケ−スにおいて、情報処理電子機器装置のノ−ト型パソコンの形状と質量を収納区画部により収納支持し、情報処理端末機器と付属備品を収納区画部により収納支持する。収納区画部の引出しの構造により収納物の収納と取出しを自在とする、収納ホルダ−引出しにノ−ト型パソコンもしくは収納区画部を収納し、収納ホルダ−引出しを引出して脱着自在とする。収納区画部を組替えて各種メディアの情報カ−ドを仕訳収納する収納区画部を形成した構造を保持する多機能収納ケ−ス。前記収納ケ−スの開閉上蓋の開口もしくは上蓋引出しの引出しの操作により内部収納区画部の収納物の収納と取出しを自在とする。前記収納ケ−スの上蓋引出しの枢着回動枠蓋の枠蓋開閉の操作により上段収納区画部の引出しもしくは下段収納区画部の引出しを引出し自在とする。上蓋引出しの引出し操作により内部収納区画部の上蓋開閉および上段収納区画部のスライド引出しの構造を保持する多機能収納ケ−ス。前記収納ケ−スの本体枠組の側面枠組の側面に側面把手を設け、側面把手にショルダ−バンド係止部位を備え、収納ケ−スの携帯と持運びを簡易とする構造を保持する多機能収納ケ−ス。収納ケ−スの多機能な構造により情報処理理電子機器装置のノ−ト型パソコンの質量と各種メディアおよび付属備品の質量を収納して支持する構造を保持する、収納ケ−スの収納の安全性および耐久性を備えている、前記側面機能と前記内部機能のノ−ト型パソコン用の多機能収納ケ−ス。
【０００５】
前記収納ケ−スの本体の内部収納区画部に収納する情報処理電子機器装置のノ−ト型パソコンと各種メディアのＣＤ−ＲＯＭと、ＤＶＤ−ＲＯＭと、フレキシブルディスクと、ＺＩＰと、ＰＤと、ＭＯと、ノ−ト型パソコン用ハ−ドディスクと、フラッシュメモリカ−ドと、小型チップのメディアおよび付属備品の接続コ−ドと、マウスと、小型備品を収納する。各種メディアの情報処理端末の接続機器の収納区画の形成を自在とする。収納ケ−スの長方形状の本体枠組の構造を保持し、箱型もしくは楕円形状の収納ケ−スの形成を自在とする。収納ケ−スの本体の上側面にノ−ト型パソコンを載置して情報処理作業を行なうことができる。前記側面機能と前記内部機能の構造を保持する多機能収納ケ−ス。
【課題を解決するための手段】
【０００６】
本発明は、上記の目的を達成するために、請求項１の発明において、情報処理電子機器装置のノ−ト型パソコンを収納する側面機能と内部機能の構造を保持する収納ケ−スにあって、該収納ケ−スの本体枠組の上側面に開閉もしくは引出し自在の上蓋を設け、該収納ケ−スの上側面枠組に上蓋を摺動自在とする摺動支持部を設け、上蓋を引出し自在とする、該収納ケ−スの本体の上側面枠組もしくは側面枠組に開口部を設け、該収納ケ−スの本体枠組の下側面に底部底体を設け、該収納ケ−スの本体枠組の側面に収納ケ−ス本体と本体の内部に収納されている収納物を側面把手を設け支持する、前記側面機能の構造を有し、該収納ケ−スの内部に収納区画自在の内部収納区画部もしくは収納区画自在の上段収納区画部および下段収納区画部を設け、ノ−ト型パソコンと各種メディアおよび付属備品を収納支持する、該収納ケ−スの内部に上段収納区画部もしくは下段収納区画部を摺動自在の引出しとする摺動支持部を本体の内部に設け、本体の内部の上段収納区画部もしくは下段収納区画部を摺動自在の引出しとする、前記内部機能の構造を有する、前記側面機能と前記内部機能の構造を保持することを特徴とするノ−ト型パソコン用の多機能収納ケ−ス。
【０００７】
請求項２の発明は、請求項１において、前記収納ケ−スの摺動自在の上蓋引出しに枠蓋を設け、枠蓋を枢着回動自在と開閉自在とすることを特徴とするノ−ト型パソコン用の多機能収納ケ−ス。
【０００８】
請求項３の発明は、請求項１又は請求項２の発明において、前記収納ケ−スの内部に内部収納区画部と上段収納区画部のスライド引出しおよび下段収納ホルダ−引出しを設け、引出しとすることを特徴とするノ−ト型パソコン用の多機能収納ケ−ス。
【０００９】
請求項４の発明は、請求項１又は請求項２の発明において、前記収納ケ−スの本体の内部に内部収納区画部と上段収納ホルダ−引出しおよび下段収納ホルダ−引出しを設け、引出しとすることを特徴とするノ−ト型パソコン用の多機能収納ケ−ス。
【００１０】
請求項５の発明は、請求項１，請求項２，又は請求項４の発明において、前記収納ケ−スの上蓋を開閉自在の開口上蓋とすることを特徴とするノ−ト型パソコン用の多機能収納ケ−ス。
【発明の効果】
【００１１】
本発明の効果として、収納ケ−スの多機能な構造により、収納物をコンパクトに収納し、収納物の一部を必要に応じて取出し情報処理装置の操作を容易に行なえる効果を得られる、収納ケ−スの安全性と耐久性により収納物の保管に優れ携帯と持運び簡易な多機能収納ケ−スである。本発明の収納ケ−スの収納ホルダ−引出しの構造により、収納するノ−ト型パソコンの構成と形状および質量等に応じて収納ホルダ−引出しの形成自在である。収納区画部の差替え自在とする、収納ホルダ−引出しに情報別の各種メディアを仕訳して収納区画部に収納し、その収納区画部を収納ホルダ−引出しに収納セットする、収納区画部を収納セットした収納ホルダ−引出しを引出し各種メディアを取出して情報処理操作を容易とする。収納区画部のスライド引出しの差替え自在とする構造により各種メディアを仕訳して収納し、各種メディアを取出し情報処理操作を容易とする。多機能収納ケ−スの上側面に情報処理電子機器装置のノ−ト型パソコンを設置して屋外屋内で簡易に情報処理操作をおこなえる効果を得る、多機能収納ケ−ス。
【発明を実施するための最良の形態】
【００１２】
以下、本発明を実施するための最良の形態について、図面を参照して説明する。本発明の実施例図４において、この発明の多機能収納ケ−スの上蓋引出しと上段収納区画部の引出しおよび下段収納ホルダ−引出しを引出し、本体の内部に内部収納区画部を設けた本体の斜視図である。同図に示すように、この収納ケ−スの上蓋引出し７と上段収納区画部の引出し１１および下段収納ホルダ−引出し１２を本体枠組２の側面開口部５の右側方へ引出して備えている。本体１の内部に内部収納区画部１３を備え、収納ホルダ−１４を格納して備えている。本体枠組２の側面枠組２ａの前方側面に側面把手２７を設け、その側面把手２７の側面両端にショルダ−ベルト係止部位２８を備え、本体１と収納物を支持する構造を保持する。上蓋引出し７に開閉自在の枢着回動枠蓋８を開口し、上蓋引出し７を本体枠組２の側面開口部５の右側方へ引出して備えている。枢着回動枠蓋８の開閉自在により上段収納区画部の引出し１１と下段収納ホルダ−引出し１２を引出し自在とする構造を保持する多機能収納ケ−ス。
【実施例１】
【００１３】
以下、本発明を実施するための最良の形態について、図面を参照して説明する。本発明の実施例図１において、この発明の多機能収納ケ−スの上蓋引出しの枠蓋と上段収納区画部の引出しおよび下段収納ホルダ−引出しを格納した本体の外観図である。同図に示すように、この収納ケ−スの本体１の本体枠組２の上側面枠組３に上蓋引出し７を摺動自在とする上蓋摺動支持部１６を設け、上蓋引出し７の右側端に枢着回動枠蓋８を設けて格納さ
れている。この収納ケ−スの本体枠組２の前方側面に本体１と収納物を支持する側面把手２７を設け、その側面把手２７の側面両端にショルダ−ベルト装着部位２４を備えている構造を保持する多機能収納ケ−ス。
【実施例２】
【００１４】
以下、本発明を実施するための最良の形態について、図面を参照して説明する。本発明の実施例図２において、この発明の多機能収納ケ−スの上蓋引出しとノ−ト型パソコンを収納した下段収納ホルダ−引出しを引出した本体の斜視図である。同図に示すように、この収納ケ−スの上蓋引出し７の枢着回動枠蓋８を開口して、上蓋引出し７を側面開口部５の右側方へ引出して備えている。本体１の内部に上段収納区画部の引出し１１と内部収納区画部１３を備え、下段収納ホルダ−引出し１２にノ−ト型パソコン３０を収納して側面開口部５の右側方へ引出して備えている。各種メディアを上段収納区画部の引出し１１の各種メディア収納区画部３１に収納されている。本体枠組２の前方側面に本体１と収納物を支持する側面把手２７を設け、その側面把手２７の側面両端にショルダ−ベルト装着部位２４を備えている構造を保持する多機能収納ケ−ス。
【実施例３】
【００１５】
以下、本発明を実施するための最良の形態について、図面を参照して説明する。本発明の実施例図３において、この発明の多機能収納ケ−スの上蓋引出しとノ−ト型パソコンを収納した下段収納ホルダ−引出しを引出し、上段収納区画部の引出しをスライドして引出した本体の斜視図である。同図に示すように、この収納ケ−スの上蓋引出し７の枢着回動枠蓋８を本体枠組２の側面開口部５の右側方へ引出して備えている。本体１の上段収納区画部の引出し１１を上側面開口部４の左側方へスライドして引出して備え、上段収納区画部のスライド引出し３７の左側端に上段引出し把手係止部位２４を備えている。この収納ケ−スの本体枠組２の前方側面に本体１と収納物を支持する側面把手２７を設け、その側面把手２７の側面両端にショルダ−ベルト係止部位２８を備えている構造を保持する多機能収納ケ−ス。
【実施例４】
【００１６】
以下、本発明を実施するための最良の形態について、図面を参照して説明する。本発明の実施例図４において、この発明の多機能収納ケ−スの上蓋引出しと上段収納区画部の引出しおよび下段収納ホルダ−引出しを引出し、本体の内部に内部収納区画部を設けた本体の斜視図である。同図に示すように、この収納ケ−スの上蓋引出し７と上段収納区画部の引出し１１および下段収納ホルダ−引出し１２を本体枠組２の側面開口部５の右側方へ引出して備えている。本体１の内部に内部収納区画部１３を備え、収納ホルダ−１４を格納して備えている。本体枠組２の側面枠組２ａの前方側面に側面把手２７を設け、その側面把手２７の側面両端にショルダ−ベルト係止部位２８を備え、本体１と収納物を支持する構造を保持する。上蓋引出し７の開閉自在の枢着回動枠蓋８を開口し、上蓋引出し７を本体枠組２の側面開口部５の右側方へ引出して備えている。枢着回動枠蓋８の開閉自在によ
り上段収納区画部の引出し１１と下段収納ホルダ−引出し１２を引出し自在とする構造を保持する多機能収納ケ−ス。
機能収納ケ−ス。
【実施例５】
【００１７】
以下、本発明を実施するための最良の形態について、図面を参照して説明する。本発明の実施例図５において、この発明の多機能収納ケ−スの上蓋引出しとノ−ト型パソコンを収納した下段収納ホルダ−引出し１２を引出し、収納区画上蓋を開口した本体の斜視図である。この収納ケ−スの本体１の上側面枠蓋３に摺動自在の上蓋引出し７を設け、上蓋引出し７の右側端に開閉自在の枢着回動枠蓋８を設け、上蓋引出し枠蓋２０を開口して側面開口部５の右側方へ引出して備えている。本体１の内部に内部収納区画部１３設け、収納区画上蓋１５を開口して備え、本体１の内部に上段収納区画部の引出し１１を格納して備えている。本体１の内部に下段収納ホルダ−引出し１２を設け、ノ−ト型パソコン３０を収納して本体枠組２の側面開口部５の右側方へ下段収納ホルダ−引出し１２を引出して備えている。本体枠組２の前方側面に本体１と収納物を支持する側面把手２７を設け、その側面把手２７の側面両端にショルダ−ベルト係止部位２８を備えている構造を保持する多機能収納ケ−ス。
【実施例６】
【００１８】
以下、本発明を実施するための最良の形態について、図面を参照して説明する。本発明の実施例図６において、この発明の多機能収納ケ−スの上蓋引出しと上段収納区画部の引出しを引出し、ノ−ト型パソコンを収納した下段収納ホルダ−引出しを格納して収納区画上蓋を開口した本体の斜視図である。この収納ケ−スの上蓋引出し７の枢着回動枠蓋８を開口して側面開口部５の右側方へ引出して備えている。下段収納ホルダ−引出し１２にノ−ト型パソコンを収納して格納して備え、内部収納区画部１３の収納区画上蓋１５を開口して備えられている。本体枠組２の前方側面に本体１と収納物を支持する側面把手２７を設け、その側面把手２７の側面両端にショルダ−ベルト係止部位２８を備えている構造を保持する多機能収納ケ−ス。
【実施例７】
【００１９】
以下、本発明を実施するための最良の形態について、図面を参照して説明する。本発明の実施例図７において、この発明の多機能収納ケ−スの本体の内部の摺動支持部の構造を示した本体の斜視図である。この収納ケ−スの本体枠組２の上側面枠組３に上蓋引出し７を摺動自在とする上蓋摺動支持部１６を設け、本体１の内部側面に上蓋引出し摺動支持凹部１７を形成して設けられている。上段収納区画部の引出し１１を摺動自在とする上段引出し摺動支持凹部１８を本体１の内部側面に形成して設け、下段収納ホルダ−引出し１２を摺動自在とする下収引出し摺動凹部１９を形成して設けている。本体１の本体枠組２の内部の両側面に摺動支持部を自在に形成して設けられている。本体１の内部の両側面を支持する本体内部支持部材４０を設け、下側面枠組３ｂの下側面の底部底体６に下段収納ホルダ−引出し支持部３９を設け、下段収納ホルダ−引出し１２を摺動自在とする構造を保持する多機能収納ケ−ス。
【実施例８】
【００２０】
以下、本発明を実施するための最良の形態について、図面を参照して説明する。本発明の実施例図８において、この発明の多機能収納ケ−スの上段収納区画部の引出しおよび上段引出し摺動支持回転ロ−ラ−の構造を示した斜視図である。同図に示すように、この収納ケ−スの上段収納区画部の引き出し１１の内部に各種メディア収納区画部３１を設け、各種メィアを収納して支持する、上段収納区画部の引出し１１の右側面の左右両側端に上段引出し自在とする上段引出し摺動支持回転ロ−ラ−３６を設け、上段収納区画部の引出し１１および上段収納区画部のスライド引出し３７を摺動自在とする構造を保持する多機能収納ケ−ス。
【実施例９】
【００２１】
以下、本発明を実施するための最良の形態について、図面を参照して説明する。本発明の実施例図９において、この発明の多機能収納ケ−スの上段収納区画部の引出しおよび摺動支持部の構造を示した斜視図である。同図に示すように、この収納ケ−スの上段収納区画部の引出し１１の内部に各種メディア収納区画部３１を設け、上段収納区画部の引出し１１の左右側面に摺動引出し自在とする上段収納区画部の引出し摺動支持凸部４１を形成して設けている、上段収納区画部の引出し１１の前方側面に上段収納区画部の引出し把手２２を設けて引出し自在とする構造を保持する多機能収納ケ−ス。
【実施例１０】
【００２２】
以下、本発明を実施するための最良の形態について、図面を参照して説明する。本発明の実施例図１０において、この発明の多機能収納ケ−スのノ−ト型パソコンを収納した下段収納ホルダ−引出しの摺動支持部の構造を示した斜視図である。この収納ケ−スのノ−ト型パソコン３０を収納した下段収納ホルダ−引出し１２を備えている、下段収納ホルダ−引出し１２の左右側面に引出し摺動自在とする下段収納ホルダ−引出し摺動支持凸部４２を設け、下段収納区画部の引出し１２の前方側面に下段収納ホルダ−引出し把手２５を設けて引出し自在とする構造を保持する多機能収納ケ−ス。
【実施例１１】
【００２３】
以下、本発明を実施するための最良の形態について、図面を参照して説明する。本発明の実施例図１１において、この発明の多機能収納ケ−スの下段収納ホルダ−引出しの構造を示した斜視図である。この収納ケ−スの下段収納ホルダ−引出し１２の底部底体６にノ−ト型パソコンを脱着操作をして取出すホルダ−脱着穴２６を設け、底部底体６の右側端に収納支持枠を取付け、左側端の下段収納ホルダ−引出し１１の収納支持枠に下段収納ホルダ−引出し把手２５を設けている。この下段収納ホルダ−引出し１２の摺動支持を底部底体６と本体１の底部底体６の摺動支持により引出し自在とする構造を保持する多機能収
納ケ−ス。
【実施例１２】
【００２４】
以下、本発明を実施するための最良の形態について、図面を参照して説明する。本発明の実施例図１２において、この発明の多機能収納ケ−スのノ−ト型パソコンを収納した下段収納ホルダ−引出しの構造を示した斜視図である。この収納ケ−スのノ−ト型パソコン３０を下段収納ホルダ−引出し１２に収納して備えている、下段収納ホルダ−引出し１２の収納区画の形成をノ−ト型パソコン３０の形状と質量に対応して収納区画の形成を自在とする。下段収納ホルダ−引出し１２の収納物の支持枠を底部底体６に備え、前方側面に下段収納ホルダ−引出し把手２５を備え、引出し自在とする構造を保持する多機能収納ケ−ス。
【実施例１３】
【００２５】
以下、本発明を実施するための最良の形態について、図面を参照して説明する。本発明の実施例図１３において、この発明の多機能収納ケ−スの内部収納区画部に格納する収納ホルダ−の構造を示した斜視図である。この収納ケ−スの内部に内部収納区画部１３に収納する収納ホルダ−１４に付属備品を収納して備えている。収納ホルダ−１４に接続コ−ドと、マウスと、小型備品の小型収納区画を備え収納自在とする構造を保持する多機能収納ケ−ス。
【産業上の利用可能性】
【００２６】
本発明の活用例として、情報処理電子機器装置の開発と周辺機器の増加に対応して、ノ−ト型パソコンの情報処理が拡大し各種メディアの情報量が増加している。情報処理電子機器装置と各種メディアおよび付属備品を収納して情報処理に係わる業務と研究学習に役立てることを目的とする。収納ケ−スの収納物の収納の安全性と情報処理電子機器装置のの質量を支持する耐久性の構造を保持する多機能収納ケ−スを提供する。
【図面の簡単な説明】
【００２７】
【図１】この発明の実施形態である多機能収納ケ−スの上蓋引出しの枠蓋と上段収納区画部の引出しおよび下段収納区画部の引出しを格納した本体の外観図である。（実施例１）
【図２】この発明の実施形態である多機能収納ケ−スの上蓋引出しとノ−ト型パソコンを収納した下段収納ホルダ−引出しを引出した本体の斜視図である。（実施例２）
【図３】この発明の実施形態である多機能収納ケ−スの上蓋引出しとノ−ト型パソコンを収納した下段収納ホルダ−引出しを引出し、上段収納区画部の引出しをスライドして引出した本体の斜視図である。（実施例３）
【図４】この発明の実施形態である多機能収納ケ−スの上蓋引出しと上段収納区画部の引出しおよび下段収納区画部の引出しを引出し、本体の内部に収納区画部を設けた本体の斜視図である。（実施例４）
【図５】この発明の実施形態である多機能収納ケ−スの上蓋引出しとノ−ト型パソコンを収納した下段収納ホルダ−引出し、収納区画上蓋を開口した本体の斜視図である。（実施例５）
【図６】この発明の実施形態である多機能収納ケ−スの上蓋引出しと上段収納区画部の引出しを引出し、ノ−ト型パソコンを収納した下段収納ホルダ−引出しを格納して収納区画上蓋を開口した本体の斜視図である。（実施例６）
【図７】この発明の実施形態である多機能収納ケ−スの本体の内部の摺動支持部の構造を示した本体の斜視図である。（実施例７）
【図８】この発明の実施形態である多機能収納ケ−スの上段収納区画部の引出しおよび上段引出し摺動支持回転ロ−ラ−の構造を示した斜視図である。（実施例８）
【図９】この発明の実施形態である多機能収納ケ−スの上段収納区画部の引出しおよび摺動支持凸部の構造を示した斜視図である。（実施例９）
【図１０】この発明の実施形態である多機能収納ケ−スのノ−ト型パソコンを収納し下段収納ホルダ−引出しの摺動支持凸部の構造を示した斜視図である。（実施例１０）
【図１１】この発明の実施形態である多機能収納ケ−スの下段収納ホルダ−引出しの構造を示した斜視図である。（実施例１１）
【図１２】この発明の実施形態である多機能収納ケ−スのノ−ト型パソコンを収納した下段収納ホルダ−引出しの摺動支持凸部の構造を示した斜視図である。（実施例１２）
【図１３】この発明の実施形態である多機能収納ケ−スの内部収納区画部に格納する収納ホルダ−の構造を示した斜視図である。（実施例１３）
【符号の説明】
【００２８】
１：本    体
２：本体枠組
2a：側面枠組
３：上側面枠組
3b：下側面枠組
４：上側面開口部
５：側面開口部
６：底部底体
７：上蓋引出し
８：枢着回動枠蓋
９：枢着回動部
10：摺動隙間
11：上段収納区画部の引出し
12：下段収納ホルダ−引出し
13：内部収納区画部
14：収納ホルダ−
15：収納区画上蓋
16：上蓋摺動支持部
17：上蓋引出し摺動支持凹部
18：上段引出し摺動支持凹部
19：下段引出し摺動支持凹部
20：上蓋引出し枠蓋
21：上蓋引出し枠蓋把手
22：上段収納区画部の引出し把手
23：上段収納区画部の引出し係止把手
24：上段引出し把手係止部位
25：下段収納ホルダ−引出し把手
26：ホルダ−脱着穴
27：側面把手
28：ショルダ−ベルト装着部位
29：ショルダ−ベルト
30：ノ−ト型パソコン
31：各種メディア収納区画部
32：各種メディア
34：接続コ−ド
35：付属備品
36：上段引出し摺動支持回転ロ−ラ−
37：上段収納区画部のスライド引出し
38：収納区画部の底体
39：下段収納ホルダ−引出し摺動支持部
40：本体内部支持部材
41：上段収納区画の引出し摺動支持凸部
42：下段収納ホルダ−引出し摺動支持凸部
43：上蓋引出し枠蓋係止部位
44：防護ウレタンマット
45：ノ−ト型パソコン固定装備具
46：各種メディア固定装備具
【図１】
2005287609.tif 000003
【図２】
2005287609.tif 000004
【図３】
2005287609.tif 000005
【図４】
2005287609.tif 000006
【図５】
2005287609.tif 000007
【図６】
2005287609.tif 000008
【図７】
2005287609.tif 000009
【図８】
2005287609.tif 000010
【図９】
2005287609.tif 000011
【図１０】
2005287609.tif 000012
【図１１】
2005287609.tif 000013
【図１２】
2005287609.tif 000014
【図１３】
2005287609.tif 000015
【手続補正書】
【提出日】平成16年4月6日(2004.4.6)
【手続補正１】
【補正対象書類名】明細書
【補正対象項目名】０００４
【補正方法】変更
【補正の内容】
【０００４】
前記収納ケ−スの多機能収納ケ−スにおいて、情報処理電子機器装置のノ−ト型パソコンの形状と質量を収納区画部により収納支持し、情報処理電子機器装置と付属備品を収納区画部により収納支持する。収納区画部の引出しの構造により収納物の収納と取出しを自在とする、収納ホルダ−引出しにノ−ト型パソコンもしくは収納区画部を収納し、収納ホルダ−引出しを引出して脱着自在とする。収納区画部を組替えて各種メディアの情報カ−ドを仕訳収納する収納区画部を形成した構造を保持する多機能収納ケ−ス。前記収納ケ−スの開閉上蓋の開口もしくは上蓋引出しの引出しの操作により内部収納区画部の収納物の収納と取出しを自在とする。前記収納ケ−スの上蓋引出しの枢着回動枠蓋の枠蓋開閉の操作により上段収納区画部の引出しもしくは下段収納区画部の引出しを引出し自在とする。上蓋引出しの引出し操作により内部収納区画部の上蓋開閉および上段収納区画部のスライド引出しの構造を保持する多機能収納ケ−ス。前記収納ケ−スの本体枠組の側面枠組の側面に側面把手を設け、側面把手にショルダ−ベルト係止部位を備え、収納ケ−スの携帯と持運びを簡易とする構造を保持する多機能収納ケ−ス。収納ケ−スの多機能な構造により情報処理電子機器装置のノ−ト型パソコンの質量と各種メディアおよび付属備品の質量を収納して支持する構造を保持する、収納ケ−スの収納の安全性および耐久性を備えている、前記側面機能と前記内部機能のノ−ト型パソコン用の多機能収納ケ−ス。
【手続補正２】
【補正対象書類名】明細書
【補正対象項目名】０００５
【補正方法】変更
【補正の内容】
【０００５】
前記収納ケ−スの本体の内部収納区画部に収納する情報処理電子機器装置のノ−ト型パソコンと各種メディアのＣＤ−ＲＯＭと、ＤＶＤ−ＲＯＭと、フルキシブルディスクと、ＺＩＰと、ＰＤと、ＭＯと、ノ−ト型パソコン用ハ−ドディスクと、フラッシュメモリカ−ドと、小型チップのメディアおよび付属備品の接続コ−ドと、マウスと、小型備品を収納する。各種メディアの情報処理端末の接続機器の収納区画の形成を自在とする。収納ケ−スの長方形状の本体枠組の構造を保持し、箱型もしくは楕円形状の収納ケ−スの形成を自在とする。収納ケ−スの本体の上側面にノ−ト型パソコンを設置して情報処理作業を行なうことができる。前記側面機能と前記内部機能の構造を保持する多機能収納ケ−ス。
【手続補正３】
【補正対象書類名】明細書
【補正対象項目名】００１１
【補正方法】変更
【補正の内容】
【００１１】
本発明の効果として、収納ケ−スの多機能な構造により、収納物をコンパクトに収納し、収納物の一部を必要に応じて取出し情報処理電子機器装置の操作を容易に行なえる効果を得られる、収納ケ−スの安全性と耐久性により収納物の保管に優れ携帯と持運び簡易な多機能収納ケ−スである。本発明の収納ケ−スの収納ホルダ−引出しの構造により、収納するノ−ト型パソコンの構成と形状および質量等に応じて収納ホルダ−引出しの形成自在である。収納区画部の差替え自在とする、収納ホルダ−引出しに情報別の各種メディアを仕訳して収納区画部に収納し、その収納区画部を収納ホルダ−引出しに収納セットする、収納区画部を収納セットした収納ホルダ−引出しを引出し各種メディアを取出して情報処理操作を容易とする。収納区画部のスライド引出しの差替え自在とする構造により各種メディアを仕訳して収納し、各種メディアを取出し情報処理電子機器装置の操作を容易とする。多機能収納ケ−ス上側面に情報処理電子機器装置のノ−ト型パソコンを設置して屋内屋外で簡易に情報処理操作をおこなえる効果を得る多機能収納ケ−ス。
【手続補正書】
【提出日】平成16年5月14日(2004.5.14)
【手続補正１】
【補正対象書類名】明細書
【補正対象項目名】００２３
【補正方法】変更
【補正の内容】
【００２３】
以下、本発明を実施するための最良の形態について、図面を参照して説明する。本発明の実施例図１１において、この発明の多機能収納ケ−スの下段収納ホルダ−引出しの構造を示した斜視図である。この収納ケ−スの下段収納ホルダ−引出し１２の底部底体６にノ−ト型パソコンを脱着操作をして取出すホルダ−脱着穴２６を設け、底部底体６の右側端に収納支持枠を取付け、右側端の下段収納ホルダ−引出し１１の収納支持枠に下段収納ホルダ−引出し把手２５を設けている。この下段収納ホルダ−引出し１２の摺動支持を底部底体６と本体１の底部底体６の摺動支持により引出し自在とする構造を保持する多機能収納ケ−ス。
【手続補正書】
【提出日】平成16年6月4日(2004.6.4)
【手続補正１】
【補正対象書類名】明細書
【補正対象項目名】００２０
【補正方法】変更
【補正の内容】
【００２０】
以下、本発明を実施するための最良の形態について、図面を参照して説明する。本発明の実施例図８において、この発明の多機能収納ケ−スの上段収納区画部の引出しおよび上段引出し摺動支持回転ロ−ラ−の構造を示した斜視図である。同図に示すように、この収納ケ−スの上段収納区画部の引き出し１１の内部に各種メディア収納区画部３１を設け、各種メディアを収納して支持する、上段収納区画部の引出し１１の右側面の左右両側端に上段引出し自在とする上段引出し摺動支持回転ロ−ラ−３６を設け、上段収納区画部の引出し１１および上段収納区画部のスライド引出し３７を摺動自在とする構造を保持する多機能収納ケ−ス。